(57)【要約】      （修正有）【課題】オイルフィルタのガスケットからオイルの漏出を防止するシ−ル構造を提供する。【解決手段】オイルフィルタガスケット44は、本体48と、オイルフィルタハウジング12の凹部42から離れて前記本体から内方に延びているフラップ50とを含む。前記本体はオイルフィルタ10と取付構造体との間に圧縮嵌めをもたらす。フラップもまたオイルフィルタと取付構造体22との間に圧縮嵌めをもたらす。オイルフィルタ内の油圧が増加するにつれて、フラップは更に強制的に取付構造体と係合させられ、これにより漏出前にオイルフィルタが受ける油圧を増加させる。【選択図】図１
2005171985.tif 000002
【特許請求の範囲】
【請求項１】
流体孔を備えたプレートを有し、前記流体孔の外側に配置された環状凹部を有する端部を含むハウジングと、
本体と、前記本体から内側に延び且つ前記環状凹部から離れているフラップと、を含み、前記環状凹部内に据付けられているガスケットと、
を備える流体フィルタ。
【請求項２】
前記本体は概ね四辺形の断面を有する、請求項１に記載の流体フィルタ。
【請求項３】
前記ガスケットは前記フラップと前記本体の間で前記環状凹部の反対側に溝を含む、請求項１に記載の流体フィルタ。
【請求項４】
前記ガスケットは非圧縮状態を有しており、前記本体は前記環状凹部の反対側に平面を画定する上面を含み、前記フラップは前記非圧縮状態において前記平面を越えて延びている、請求項１に記載の流体フィルタ。
【請求項５】
前記ガスケットは、前記非圧縮状態におけるよりも前記平面を越えて延びる前記フラップの量が少ない圧縮状態を有する、請求項４に記載の流体フィルタ。
【請求項６】
前記プレートは中央ねじ孔を含むタッピングプレートであり、前記ハウジングは缶を含んでおり、前記端部は前記缶に固定され且つ前記環状凹部を有するリテーナを含み、前記タッピングプレートは前記リテーナに隣接して前記リテーナ内部に配置されている、請求項１に記載の流体フィルタ。
【請求項７】
前記フラップは前記流体孔に近接している、請求項１に記載の流体フィルタ。
【請求項８】
ねじスタッドと、前記ねじスタッドから外側に離間されたシール面と、を含む取付構造体と、
開放端を含む缶と、前記開放端に配置され流体孔を含むタッピングプレートと、前記缶に固定されたリテーナとを有するハウジングであって、前記タッピングプレートは前記リテーナに隣接して前記リテーナ内部に設置され、前記リテーナは前記流体孔の外側に配置された環状凹部を含むハウジングと、
前記環状凹部内に据付けられたガスケットであって、本体と、前記本体から内側に且つ前記環状凹部から離れて延びるフラップと、を含み、前記本体とフラップとの間に配置され且つ前記ガスケットと前記シール面との間に空所を形成する溝を有し、前記フラップは第１の力の下で前記表面に係合するガスケットと、
を備える流体フィルタシステム。
【請求項９】
前記シール面は隅部を含み、前記フラップは前記隅部と係合する、請求項８に記載の流体フィルタシステム。
【請求項１０】
前記フラップは流体圧力の下で前記第１の力より大きな第２の力の下で前記シール面と係合する、請求項８に記載の流体フィルタシステム。
【請求項１１】
前記取付構造体がエンジンブロックである、請求項８に記載の流体フィルタシステム。
【請求項１２】
前記取付構造体がリモートオイルフィルタアダプタである、請求項８に記載の流体フィルタシステム。
【請求項１３】
対向平面内にある対向表面と、前記対向表面に隣接する円周面と、を有する概ね環状の本体と、
前記本体から内側に且つ前記対向平面の一方および前記円周面から離れて延び、非圧縮状態において前記対向平面の他方を越えて延びるフラップと、
を備える流体フィルタガスケット。
【請求項１４】
前記本体は概ね四辺形の断面を有する、請求項１３に記載の流体フィルタガスケット。
【請求項１５】
前記ガスケットは前記フラップと前記本体の間に前記対向平面の前記他方と向い合う溝を含む、請求項１３に記載の流体フィルタガスケット。
【発明の詳細な説明】
【技術分野】
【０００１】
本発明はオイルフィルタのような流体フィルタに関するものであり、さらに詳しくは、本発明は流体フィルタ用のガスケットに関するものである。
【０００２】
スピンオン形オイルフィルタは通常フィルタ構成部品を含むハウジングを有している。ハウジングは通常ケース底部組立体を含み、このケース底部組立体はタッピングプレートと、フィルタの製作中にハウジングの缶に継ぎ合わされるリテーナとを備えている。リテーナはガスケットを収容する凹部または座部を有している。ガスケットはオイルフィルタが取り付けられるエンジンブロックまたはリモートオイルフィルタアダプタのような取付構造体に係合している。
【０００３】
タッピングプレートはねじ孔を有している。このねじ孔を使用して、フィルタは取付構造体に取り付けられている。フィルタの設置をしている間、この弾性のガスケットは取付構造体に押し付けられ、通常の作動中は、弾性ガスケットはフィルタおよび取付構造体内のオイルを保持する。
【０００４】
エンジンの毎分の回転数（ＲＰＭ）が増加すると、フィルタの内側の油圧も増加する。フィルタ内の増加した圧力はハウジングを膨張させ、ケース底部組立体をフィルタの周縁に近付き取付構造体から離れるように下方に撓ませる。ケース底部組立体が下方に撓むと、ガスケットの圧縮度が減少し、それによりフィルタと取付構造体との間のシールを危うくする。その結果、オイルは油圧の増加を受けてガスケットから漏出することがある。
【０００５】
圧力を受けた状態での取付構造体に対するガスケットのシールを強化するため、ガスケットには種々の断面形状が採用されている。例えば、方形、円形、楕円形、Ｄ字状、ダブルＤ字状、Ｐ字状およびその他の形状が使用されてきた。それにも拘らず、高い油圧下で、ガスケットの漏出はなお問題である。エンジンの出力の増加により、現代のオイルフィルタは一層高い油圧に耐えなければならないので、このことは益々、関心事である。
【０００６】
ケース底部組立体の撓みを減少させるため、他のオイルフィルタは増加した厚さのタッピングプレートを採用している。なおその他のフィルタは高圧下のガスケットのシール作用を強化するため、ガスケットの直径を減少させ、またはガスケットの硬度を増加し、またはガスケット内に金属リングを採用している。これらの解決策は材料費および／または工具費を増加させる結果になっている。
【０００７】
従って、改良されたオイルフィルタガスケット、および材料費または工具費の増加を避けた高油圧での利用が必要である。
（発明の開示）
本発明は開放端がある缶を有するハウジングを含む流体フィルタを提供する。タッピングプレートは開放端に配置されていて、タッピングプレートの一部の周囲に配置された多数の流体孔を有しており、これらの多数の流体孔は取付構造体内の流体通路に流体連通している。リテーナはハウジング内のタッピングプレートおよびフィルタ、その他の構成部品を保持するために、タッピングプレートに隣接して缶に固定されている。リテーナは流体孔の外側に配置された環状凹部または座部を有する。
【０００８】
本発明のガスケットは環状凹部内に据付けられている。ガスケットは本体を有し、この本体は本体から内側に、凹部から離れるように延びるフラップを有する。例示的な一実施形態では、ガスケットは本体とフラップとの間に配置された溝を有する。本体はほぼ四辺形の断面を有することができる。
【０００９】
ハウジングは、ねじスタッドを有する取付構造体に取り付けられている。孔のねじ孔はねじスタッドに固定されている。取付構造体は、フィルタが設置位置にある時にガスケットが係合するシール面を有する。ガスケットの本体は、圧縮嵌め（ｃｏｍｐｒｅｓｓｉｏｎ  ｆｉｔｔｉｎｇ）を提供することができる。フラップは上記面に係合し、第１の力を受けて圧縮嵌めを提供する。フィルタ内の加圧オイルはフラップを更に付勢して上記面に係合させ、取付構造体とフィルタの間のガスケットのシール効果を増強する第２の力をもたらす。
【００１０】
本発明の他の利点は、次の詳細な説明を参照し、添付図面に関連して熟考することによって理解されることができる。
【発明を実施するための最良の形態】
【００１１】
流体フィルタ１０は図１に示されている。図示のフィルタ１０は車輌のオイルフィルタとして使用するのに適しているが、この発明はいかなる流体フィルタの用途においても使用されるものである。フィルタ１０は缶１４を有するハウジング１２を備え、缶１４の開放端１５に取り付けられたリテーナ１６を有している。また、ハウジング１２は通常リテーナ内部に且つリテーナ１６に隣接して配置されたタッピングプレート１８を含む。
【００１２】
リテーナ１６およびタッピングプレート１８は通常いわゆるケース底部組立体１７と称するものを提供している。タッピングプレート１８は中央ねじ孔２０を有する。フィルタ１０はエンジンブロックまたはリモートオイルフィルタアダプタのような取付構造体２２に取り付けられており、この取付構造体２２は車輌のエンジンのような希望する位置に、および希望する位置から流体を運ぶ流体通路を有している。取付構造体２２はねじスタッド２４を有し、フィルタ１０が据付け位置にある時、このねじスタッド２４はタッピングプレート１８のねじ孔２０に螺着している。タッピングプレート１８は通常、フィルタ１０を取付構造体２２に取り付けるのに使用されるが、他の取付け形態も使用することができることを理解すべきである。例えば、フィルタ１０の長さ方向の孔に、ねじ固定具を通し、取付構造体２２のねじ孔内に、このねじ固定具を収容し、フィルタ１０を取付構造体２２にクランプしてもよい。代案として、ばねクランプまたはねじクランプをハウジング１２に係合させ、強制的にフィルタ１０を取付構造体に係合させてもよい。
【００１３】
フィルタ組立体２６はハウジング１２内に配置されている。フィルタ組立体２６はペーパフィルタ素子のような濾過材２８を有する端部ディスク３０を含んでおり、これらの濾過材はこの分野でよく知られた任意適切な方法で、端部ディスク３０間に配置されている。濾過材２８は中心開口を画定している。通常、濾過材２８はひだ付きペーパ素子である。ばねまたはガイド３６がフィルタ組立体２６１８とハウジング１２との間に配置され、フィルタ１０の組立て中、望ましいように、フィルタ組立体２６を位置決めする。フィルタ組立体２６はばね３６によってハウジング１２内に縦方向に位置決めされる。ばね３６はフィルタ構成部分をリテーナ１６に向けて付勢する。
【００１４】
フィルタ１０は濾過材２８の一側に導入側３２を有し、濾過材２８の反対側に送出側３４を有する。図示の構成については、導入側３２はフィルタ組立体２６の外側に相当しており、送出側３４は濾過材２８の内側、即ち中心開口に相当している。リテーナ１６およびタッピングプレート１８は孔４１を有し、フィルタ１０を支持している構造２２から、導入側３２に流体を流すことを可能にしている。通常の作動中、流体は濾過材２８を通じて、送出側３４に相当する中心開口に流れ、流体から屑を除去する。次に流体は中心開口を通じて流れ、ねじ孔２０を通じ、フィルタ１０を支持している構造２２を通じて、戻って流出する。しかし、用途および顧客の仕様によっては、流体の流れは上述の流れ以外のものであってもよいことが理解されるべきである。
【００１５】
フィルタ１０はアンチドレンバック弁３８を有し、この弁は孔４１を通じて、フィルタ１０の導入側３２に流体を流す。通常、多数の孔４１がタッピングプレート１８の一部の周りに円周方向に配置されている。アンチドレンバック弁３８は流体が導入側３２から、戻って、取付構造体２２内に流れるのを防止する。また、フィルタ１０は一方の端部ディスク３０に、リリーフ弁４０を有することができ、このリリーフ弁４０はオイルの高い圧力差を受けて開き、流体の流れ２６がフィルタ組立体を迂回し、濾過材２８を通過することなく、送出側３４に直接流れることを可能にする。
【００１６】
図２および図３を参照し、リテーナ１６は本発明のガスケット４４を収容するため、孔の半径方向外側に、環状凹部４２または座部を有する。環状凹部４２およびガスケット４４の形状は任意適当な形状でよいが、上方から見て円形であるのが好適である。ガスケット４４は取付構造体２２の表面４６とフィルタ１０との間のシールを提供する。ガスケット４４は凹部４２から離れて内側上方に延びるフラップ５０付きの本体４８を有する。フラップ５０は孔４１に近接している。
【００１７】
ガスケット４４の断面はいかなる形状でもよい。図示の例では、本体４８は本体４８の隅部から延びるフラップ５０を有するほぼ四辺形の断面である。図１および図３を参照すると、本発明のガスケット４４はフラップ５０と本体４８との間に配置された溝４９または切欠（ノッチ）を有し、本体４８に対して相対的にフラップ５０の可撓性を増加している。溝４９はガスケット４４と表面４６との間に空所（キャビティ）５２を形成している。
【００１８】
本体４８は上面５１を有しており、この上面５１は圧縮を受けて、取付構造体２２の表面４６に係合し、主要なシールを提供している。また、フラップ５０は、例えば図示の実施例では表面４６の隅部５３において表面４６に係合している。フラップ５０は第１の力を加える圧縮を受けて、隅部５３に係合する。フィルタ１０が加圧オイルを含んでいる時は、第２の力がフラップに発生し、フラップを付勢して隅部５３と係合させて、本体によって提供される圧縮シールを強化する。ケース底部組立体１７がその周縁５４で撓んだときでも、フラップ５０は十分なシールを提供し続け、ガスケット４４を経る漏出を防止する。一例では、本発明のフラップ５０はガスケット４４を経てオイルが漏出する前の油圧を１．１３ｋｇ／ｃｍ２（１６ｐｓｉ）まで増加させることができる。
【００１９】
ガスケット４４は離間された上面５１および下面５５を本体４８に有する。表面５１、５５は対向平面内にある。他の平面５７は表面５１、５５に隣接している。フラップ５０は対向平面の一方および表面５７から離れて本体４８から内側に延びている。フラップ５０は非圧縮状態において他方の対向平面を越えて延びており、このことは図１に最もよく示されている。図３に最もよく示されている圧縮状態では、フラップ５０は上面５１の平面を僅かに超えて延びているか、または全く延びていない。
【００２０】
本発明を例証とばるように説明したが、使用された用語は本発明を限定するものでなく、説明のための語として意図したものであると理解すべきである。上述の教示したところから、本発明は多くの変更、修正が可能であることは明らかである。従って、本発明は詳細に説明したのと別の方法で、特許請求の範囲内において実施され得ることを理解されるべきである。
【図面の簡単な説明】
【００２１】
【図１】図１は、取付構造体に据付ける以前の本発明のフィルタの断面図である。
【図２】図２は、圧縮状態にある本発明のガスケットを有する取付構造体に設置されたフィルタの断面図である。
【図３】図３は、図２に示された本発明のガスケットの拡大断面図である。
【図１】
2005171985.tif 000003
【図２】
2005171985.tif 000004
【図３】
2005171985.tif 000005
【外国語明細書】
2005171985.tif 000006
2005171985.tif 000007
2005171985.tif 000008
2005171985.tif 000009
2005171985.tif 000010
2005171985.tif 000011
2005171985.tif 000012
2005171985.tif 000013
2005171985.tif 000014
2005171985.tif 000015
2005171985.tif 000016
2005171985.tif 000017